(57)【要約】【課題】点灯／非点灯の画素パターンが最悪パターンである場合にも、カップリングノイズの発生を減少させることにより、タッチパネルの誤動作及び誤操作を防止すること。【解決手段】図１に示す本実施形態に係る液晶駆動方法における駆動電圧波形では、奇数列（ここでは列１）の非点灯表示画素の駆動電圧に所定の電圧（±Ｖｏｆｆ）を印加している。これにより、偶数列（ここでは列２）の点灯画素の駆動電圧によって生じることになっていたカップリングノイズを減少させることができる。即ち、非点灯表示画素の駆動電圧波形には、点灯画素の駆動電圧の極性とは反対の極性を有する所定の電圧（±Ｖｏｆｆ）が加算されるので、この非点灯表示画素の駆動電圧波形により、点灯表示画素の駆動電圧が有していたカップリングノイズを生じさせる作用は幾分かは相殺されて、カップリングノイズを減少させることができる。【選択図】図１
2012242428.tif 000002
【特許請求の範囲】
【請求項１】
液晶パネルを駆動するための駆動電圧を、画像信号を基にドット反転駆動方法を用いて生成し、出力する駆動電圧生成ステップと、
前記駆動電圧生成ステップから出力された、前記液晶パネル内の１列（または１行）に属する画素を駆動するための第１の駆動電圧と、前記１列（または１行）に隣接する１列（または１行）に属する画素を駆動するための第２の駆動電圧との内、消灯画素を生じる予め設定された電圧値を有する方の駆動電圧に対して、所定の電圧を加算または減算し、その結果の駆動電圧を前記液晶パネルに送出する駆動電圧変換ステップと、
を有することを特徴とする液晶駆動方法。
【請求項２】
前記駆動電圧に対する前記加算または前記減算の内、いずれの演算を実行すべきかを決定する規則は、前記第１と第２の前記駆動電圧の内、点灯画素を生じる予め設定された電圧値を有する駆動電圧の極性がプラスの場合は減算を決定し、該駆動電圧の極性がマイナスの場合は加算を決定する規則であることを特徴とする請求項１記載の液晶駆動方法。
【請求項３】
前記液晶パネルがダッチパネルである場合、前記所定の電圧の電圧値の大きさは、該電圧によって消灯される画素の黒レベルが維持される範囲で、該液晶パネルの表示品位と、タッチパネルとしての誤動作及び誤操作の程度とを調整し、後者を前者に優先させて設定することを特徴とする請求項１または請求項２に記載の液晶駆動方法。
【請求項４】
請求項１乃至３のいずれか１項に記載の液晶駆動方法で制御される液晶駆動回路。
【請求項５】
液晶パネルを駆動するための駆動電圧を、画像信号を基にドット反転駆動方法を用いて生成し、出力する駆動電圧生成手段と、
前記駆動電圧生成手段から出力された、前記液晶パネル内の任意の１列（または１行）に属する画素を駆動するための第１の駆動電圧と、前記１列に隣接する１列（または１行）に属する画素を駆動するための第２の駆動電圧との内、前記第１の駆動電圧と、前記第１と第２の駆動電圧の共通の基準となる共通電圧と、所定の電圧とを入力し、前記第１の駆動電圧が点灯画素を生じる所定の電圧値である場合は前記第１の駆動電圧を、若しくは前記第１の駆動電圧が消灯画素を生じる予め設定された電圧値である場合は前記第１の駆動電圧に前記所定の電圧を加算または減算した結果の電圧を、前記第１の駆動電圧に代わる駆動電圧として前記液晶パネルに送出すると共に、前記第１の駆動電圧の極性情報を極性信号として出力する第１の駆動電圧変換手段と、
前記第２の駆動電圧と、前記共通電圧と、前記所定の電圧とを入力し、前記第２の駆動電圧が点灯画素を生じる電圧値である場合は前記第２の駆動電圧を、若しくは前記第２の駆動電圧が消灯画素を生じる予め設定された電圧値である場合は前記第２の駆動電圧に前記所定の電圧を加算または減算した結果の電圧を、前記第２の駆動電圧に代わる駆動電圧として前記液晶パネルに送出すると共に、前記第２の駆動電圧の極性情報を極性信号として出力する第２の駆動電圧変換手段と、
を備えたことを特徴とする請求項４記載の液晶駆動回路。
【請求項６】
前記第１の駆動電圧に対する前記加算または前記減算の内、いずれの演算を実行すべきかは、前記第２の駆動電圧変換手段が出力した前記極性信号に基づいて決定し、前記第２の駆動電圧に対する前記加算または前記減算の内、いずれの演算を実行すべきかは、前記第１の駆動電圧変換手段が出力した前記極性信号に基づいて決定することを特徴とする請求項５記載の液晶駆動回路。
【請求項７】
請求項４記載の液晶駆動回路または請求項１乃至３のいずれか１項に記載の液晶駆動方法で制御される液晶駆動回路を備えた液晶表示装置。
【請求項８】
請求項４または請求項６のいずれか１項に記載の液晶駆動回路を備えた液晶表示装置。
【請求項９】
液晶パネルを駆動するための駆動電圧を、画像信号を基にドット反転駆動方法を用いて生成し、出力する駆動電圧生成手段と、
前記駆動電圧生成手段から出力された、前記液晶パネル内の任意の１列（または１行）に属する画素を駆動する第１の駆動電圧と、前記１列に隣接する１列（または１行）に隣接する１行）に属する画素を駆動する第２の駆動電圧とを、前記液晶パネルに対してそのまま出力する手段と、
前記第１の駆動電圧と、前記第２の駆動電圧と、前記第１と第２の駆動電圧の共通の基準となる共通電圧とを、符号付きで加算した結果の電圧を、前記共通電圧に代わる新たな共通電圧として前記液晶パネルに対して出力する手段と、
を備えたことを特徴とする液晶駆動回路。
【請求項１０】
前記加算を行う回路は、差動増幅器またはフィードバック結合の増幅器を用いて構成したことを特徴とする請求項９記載の液晶駆動回路。
【発明の詳細な説明】
【技術分野】
【０００１】
本発明は液晶駆動方法及び液晶駆動回路並びに液晶表示装置に係り、特に、静電容量方式の液晶表示装置において、駆動時に発生するカップリングノイズ等を減少させ、特に、タッチパネル等の入力手段を兼ねて構成する場合には、その誤動作及び誤操作を軽減させることができる液晶駆動方法及び液晶駆動回路並びに液晶表示装置に関する。
【背景技術】
【０００２】
近年、液晶パネルの普及が利用範囲が拡大すると共に、その駆動方法として、ドット反転駆動方法を用いる液晶パネルが増加している。
図５は、ドット反転駆動方法を実施した場合の液晶パネルの画素配列の１例を示す説明図である。
ドット反転駆動方法では、今、液晶パネルの或る表示フレームにおいて、１行１列目のドット（画素）に正極性の電圧を印加した場合には、この列に隣接する１行２列目のドットに負極性の電圧を印加する。
また、このとき、2 行１列目のドットには負極性の電圧が印加され、２行２列目のドットには正極性の電圧が印加される。
このような電圧印加の規則が、それ以下の行及び列にも適用される。
この結果、正極性の電圧が印加されるドットと、負極性の電圧が印加されるドットとは、互いに入り組んだ市松模様を描くことになる。
【０００３】
本発明に際しての課題は、点灯させた行の駆動電圧波形の存在によってカップリングノイズ等のノイズが生じ、この結果、誤動作、及び誤操作（タッチパネルの場合）が生じ易くなるといった問題点を解消することである。
【０００４】
この分野の先行技術としては、例えば、特許文献１には、カップリングノイズを除去してセンサの誤動作を防止することができるタッチパネル一体型液晶表示装置が開示されている。具体的には、絶縁基板、絶縁基板上に第１方向に延長されて形成された複数のゲート線と、複数のゲート線と交差するように第２方向に形成された複数のデータ線、複数のゲート線と複数のデータ線が交差する領域によって規定された複数の薄膜トランジスタ、複数のゲート線及び複数のデータ線と同じ方向に形成されたセンサライン及びセンサラインと同じ方向に形成されたダミーラインを含むタッチパネル一体用液晶表示装置を提供するものとしている。
【０００５】
また、特許文献２には、光学式タッチセンサ機能付きの液晶表示装置において、交流駆動によるセンサ出力信号への影響を回避してタッチ位置の検出精度を向上させた液晶表示装置が開示されている。具体的には、複数のドット電極を有する透明基板と、ドット電極の少なくとも１つに隣接するように透明基板に設けられた複数のセンサと、各ドット電極を個別に駆動するためのゲート線およびソース線と、各センサからのセンサ出力信号を読み出すためのセンサ出力線と、ゲート線及びソース線への印加電圧を制御して各ドット電極を交流駆動する表示駆動制御部と、各センサからのセンサ出力信号に基づいて透明基板上のタッチ位置を認識するタッチ位置認識部とを備えるものとし、タッチ位置認識部は、交流駆動時の同極性のドット電極に対応したセンサからのセンサ出力信号のみをタッチ位置の認識に用いるものとしている。
【０００６】
また、特許文献３には、タッチパネルを表示装置と一体的に使用する際、タッチパネルが画像表示部からのノイズを受けても、タッチパネルの位置検出精度が低下しないタッチパネル付表示装置が開示されている。具体的には、静電容量のタッチパネルとメモリー性のある表示装置を用いながら、タッチパネルの座標検出タイミングを、表示装置の表示駆動手段がオフ状態のメモリー状態にある間に行なわれるようにしている。
【０００７】
さらに、特許文献４には、簡易な構成で、外部環境によらずに安定した物体検出を行うことが可能な静電容量型のタッチセンサ、並びにそのようなタッチセンサを備えた表示装置および電子機器が開示されている。具体的には、静電容量の変化に応じてセンサ用検出電極から得られる検出信号に基づいて、物体の接触（近接）位置を検出する。この検出の際に、検出信号のうち、コモン駆動信号における基本周波数の信号と、このコモン駆動信号における２つの高調波の信号とに基づいて検出動作を行う。物体の検出信号と外部ノイズとの高調波特性の違いを利用し、検出用の駆動周波数を変化させることなく、外部ノイズの影響を抑えた検出動作を行うことができるものとしている。
【先行技術文献】
【特許文献】
【０００８】
【特許文献１】特開２００８−１２２９１３号公報
【特許文献２】特開２００９−０１５３６７号公報
【特許文献３】特開２００９−２０５３７９号公報
【特許文献４】特開２０１１−００８７２６号公報
【発明の概要】
【発明が解決しようとする課題】
【０００９】
しかしながら、上記背景技術で述べた従来の液晶駆動方法及び液晶駆動回路にあっては、特に、ドット反転駆動方法を実施した場合は、カップリングノイズが生じることによって、タッチパネルの誤動作及び誤操作が生じ易くなるといった問題点があった。
以下、この問題点について詳述する。
図６は、図５に例示する液晶パネルの全白表示時の駆動電圧波形を示すグラフ図である。
同図に示すように、液晶パネルの全画素を点灯させた場合、この液晶パネルに生じるカップリングノイズは、上下・左右の画素間で相殺されるので、それによるタッチパネルの誤動作及び誤操作は生じない。
【００１０】
図７は、ドット反転駆動方法を実施した場合に最大のカップリングノイズを与える液晶パネルの画素配列の１例を示す説明図である。
同図では、液晶パネルの偶数列の画素のみを点灯させ、奇数列の画素は消灯した場合を示している。
同図に示すように、液晶パネルの偶数列のみを点灯させた場合は、隣接する列間でカップリングノイズが相殺されることがないので、点灯させた行の駆動電圧波形の存在によって最大のカップリングノイズが生じ、この結果、タッチパネルの誤動作及び誤操作が生じ易くなる。
【００１１】
図８は、ドット反転駆動方法を実施した場合に最大のカップリングノイズを与える液晶パネルの駆動電圧波形と、該駆動電圧波形によって生起されるカップリングノイズとの関係を示すグラフ図である。
図７に示すように、液晶パネルの偶数列の画素のみを点灯させた場合、その駆動電圧波形は、図８に示すように、隣接する列間ではカップリングノイズを相殺することがないので、画素を点灯させる列（ここでは偶数列）の駆動電圧波形の立ち下がり部や立ち上がり部において部分的なカップリングノイズが生じる。
ここでは、説明を分かり易くするために、最大のカップリングノイズが生じる場合を示したが、この他の液晶パネルの点灯状況においても、それなりのカップリングノイズが生じる。
【００１２】
なお、例えば、前述の特許文献１，２に開示された技術の場合、回路構成要素の配置を工夫するに留まり、本発明のように、液晶パネルの駆動電圧波形に注目してカップリングノイズを減少させるものではない。
よって、液晶パネルの複数の画素の駆動電圧波形の組み合わせ次第では、カップリングノイズの発生を抑止できないという問題点があった。
また、前述の特許文献３に開示された技術は、タッチパネルが画像表示部からのノイズを受けても、タッチパネルの位置検出精度を低下させないことを意図したものであり、本発明のようにカップリングノイズの発生を減少させることを意図したものではない。
【００１３】
さらに、前述の特許文献４に開示された技術は、物体の検出信号と外部ノイズとの高調波特性の違いを利用し、検出用の駆動周波数を変化させることなく、外部ノイズの影響を抑えた検出動作を行うことができることを意図したものであり、カップリングノイズの発生を減少させることを意図した本発明とは目的、構成とも異なるものである。
【００１４】
本発明の液晶駆動方法及び液晶駆動回路は、
（１）  画像を表示する液晶パネルと、信号に基づいて液晶パネルを駆動する液晶駆動手段と、表示面に配置された座標を検出するタッチパネルと、を備えた液晶表示装置であって、
（２）  液晶パネルの駆動方法としては、ドット反転駆動方法を採用し、非点灯ドットに隣接して点灯ドットが存在するときには、この非点灯ドットにも表示に影響しない程度の駆動電圧を印加するように構成し、
（３）  前記非点灯ドットの駆動電圧の値を、黒レベルの駆動電圧以上かつ白レベルの駆動電圧以下の範囲で、液晶パネルの表示品位と、タッチパネルとしての誤動作及び誤操作の程度とを調整して設定するものとし、
これにより、点灯ドットを駆動する電圧波形との一部相殺を果たすことにより、カップリングノイズの発生を減少させることを骨子としている。
【００１５】
本発明は、上記従来の問題点に鑑みてなされたものであって、点灯／非点灯の画素パターンが最悪パターンである場合にも、カップリングノイズの発生を減少させることにより、タッチパネルの誤動作及び誤操作を防止することができる液晶駆動方法及び液晶駆動回路並びに液晶表示装置を提供することを目的としている。
【課題を解決するための手段】
【００１６】
上記課題を解決するために、本発明に係る液晶駆動方法は、液晶パネルを駆動するための駆動電圧を、画像信号を基にドット反転駆動方法を用いて生成し、出力する駆動電圧生成ステップと、前記駆動電圧生成ステップから出力された、前記液晶パネル内の１列（または１行）に属する画素を駆動するための第１の駆動電圧と、前記１列（または１行）に隣接する１列（または１行）に属する画素を駆動するための第２の駆動電圧との内、消灯画素を生じる電圧値を有する方の駆動電圧に対して、所定の電圧を加算または減算し、その結果の駆動電圧を前記液晶パネルに送出する駆動電圧変換ステップと、を有することを特徴とする。
【００１７】
また、本発明に係る液晶駆動回路として、上記の液晶駆動方法で制御される液晶駆動回路が提供される。
【００１８】
また、本発明に係る液晶表示装置として、上記の液晶駆動方法で制御される液晶駆動回路を備えた液晶表示装置が提供される。
【００１９】
また、本発明に係る液晶表示装置として、上記の液晶駆動回路を備えた液晶表示装置が提供される。
【００２０】
また、本発明に係る液晶駆動回路は、液晶パネルを駆動するための駆動電圧を、画像信号を基にドット反転駆動方法を用いて生成し、出力する駆動電圧生成手段と、前記駆動電圧生成手段から出力された、前記液晶パネル内の任意の１列（または１行）に属する画素を駆動する第１の駆動電圧と、前記１列に隣接する１列（または１行）に隣接する１行）に属する画素を駆動する第２の駆動電圧とを、前記液晶パネルに対してそのまま出力する手段と、前記第１の駆動電圧と、前記第２の駆動電圧と、前記第１と第２の駆動電圧の共通の基準となる共通電圧とを、符号付きで加算した結果の電圧を、前記共通電圧に代わる新たな共通電圧として前記液晶パネルに対して出力する手段と、を備えたことを特徴とする。
【発明の効果】
【００２１】
以上説明したように、本発明の液晶駆動方法によれば、液晶のカップリングノイズ等と、該ノイズから生じる誤動作とを減少させることができるので、特に、タッチパネルとして構成する場合は、その誤操作を軽減させることができる効果が有る。
【図面の簡単な説明】
【００２２】
【図１】本発明の第１の実施の形態に係る液晶駆動方法における駆動電圧波形を示すグラフ図である。
【図２】本発明の第１の実施の形態に係る液晶駆動回路の１例としての回路構成を示す回路図である。
【図３】本発明の第２の実施形態に係る液晶駆動回路の１例としての回路構成を示す回路図である。
【図４】本発明の第２の実施形態に係る液晶駆動回路の他の１例としての回路構成を示す回路図である。
【図５】ドット反転駆動方法を実施した場合の液晶パネルの画素配列の１例を示す説明図である。
【図６】図５に例示する液晶パネルの全白表示時の駆動電圧波形を示すグラフ図である。
【図７】ドット反転駆動方法を実施した場合に最大のカップリングノイズを与える液晶パネルの画素配列の１例を示す説明図である。
【図８】ドット反転駆動方法を実施した場合に最大のカップリングノイズを与える液晶パネルの駆動電圧波形と、該駆動電圧波形によって生起されるカップリングノイズとの関係を示すグラフ図である。
【発明を実施するための形態】
【００２３】
本発明に係る液晶駆動方法及び液晶駆動回路並びに液晶表示装置では、液晶パネルの点灯させない画素（非点灯画素）にも、表示に影響しない程度の電圧を印加する。
以下、本発明の液晶駆動方法及び液晶駆動回路並びに液晶表示装置について、〔第１の実施の形態〕、〔第２の実施の形態〕の順に、それぞれ図面を参照して詳細に説明する。
【００２４】
〔第１の実施形態〕
図１は、本発明の第１の実施の形態に係る液晶駆動方法における駆動電圧波形を示すグラフ図である。
同図に示す第１と第２の駆動電圧波形は、いずれも共通の基準となる電圧（以下、「共通電圧」と称する）の電圧値を基準値とした波形を示すものであり、カップリングノイズを減少させるための工夫を施している。
【００２５】
以下では、分かり易くするために、制御対象である液晶パネルの画素列の内、奇数列を列１だけとし、また、該奇数列に隣接する偶数列を列２だけとして説明するが、列１と列２との隣接関係と同様に、該液晶パネルの画素で、他の隣接する２列についても、これと同様の説明が適用されるものとする。
さらに、制御対象である前記液晶パネルの任意の画素行についても、上記と同様の説明が適用できるものとする。
即ち、従来のカップリングノイズを生じさせ易い駆動電圧波形が、電位の変化の無いＤＣ波形であったのに対して、図１に示す本実施形態に係る液晶駆動方法における駆動電圧波形では、奇数列の非点灯表示画素（ここでは列１の画素）の駆動電圧に所定の電圧（±Ｖｏｆｆ）を印加している。これにより、点灯表示画素を駆動する駆動電圧の波形は、山部分と谷部分とにおいて幾分かは打ち消され、一部が互いに相殺されるので、点灯表示画素を駆動する駆動電圧の影響によって生じていたカップリングノイズを抑制することができる。
また、この駆動電圧波形でもって非点灯表示画素の液晶素子にも、交流駆動を行う。
【００２６】
奇数列の非点灯表示画素の駆動電圧波形を、図１に示すように工夫して、所定の電圧（±Ｖｏｆｆ）を印加することにより、偶数列の点灯画素（ここでは列２の画素）の駆動電圧によって生じることになっていたカップリングノイズは減少できることになる。
即ち、非点灯表示画素の駆動電圧波形には、点灯表示画素の駆動電圧の極性を反転した極性の所定の電圧（±Ｖｏｆｆ）が加算されているので、前述のとおり、点灯表示画素の駆動電圧が有していたカップリングノイズを生じさせる作用は幾分かは相殺され、よって、図示のとおり、カップリングノイズを減少させることができるのである。
【００２７】
ここで、所定の電圧（±Ｖｏｆｆ）として、どの程度の電圧を印加するかは、液晶パネルの表示品位（特にコントラスト）と、試験工程において検出されるタッチパネルとしての誤動作及び誤操作の程度とにより、予め調整を行うものとする。
また、所定の電圧（±Ｖｏｆｆ）は、表示装置としてのコントラスト（白レベルと黒レベルの差）の面も考量して決定することが好ましい。
即ち、非点灯時の駆動電圧において、印加する所定の電圧（±Ｖｏｆｆ）が大き過ぎると、液晶が反応して非点灯時の透過率が大きくなり、黒レベルが維持できず、極端には白レベルとなってしまうので、表示装置としてのコントラスト比が小さくなってしまう。
【００２８】
図２は、本発明の第１の実施の形態に係る液晶駆動回路の１例としての回路構成を示す回路図である。
同図に示す液晶駆動回路は、駆動電圧生成回路１と、駆動電圧生成回路１の後段に接続されたカップリングノイズ抑制回路２と、を備え、液晶表示パネル３を駆動する。
カップリングノイズ抑制回路２は、駆動電圧変換回路２１Ａと、駆動電圧変換回路２１Ｂと、を備えて構成される。
これらの構成要素は、少なくとも電源投入時には動作を開始するものとする。
以下では、分かり易くするために、列１と、列１に隣接する列２とに限定して説明するが、同様に隣接する他の２列や２行についても、これと同様の説明が適用されるものとする。
【００２９】
図２に示す液晶駆動回路は、図７に示すような最悪画素パターン（隣接する２列の内、１列が消灯であり、他の列が点灯というパターン）の場合、非点灯画素の駆動電圧（図１では「列１の駆動波形」）として、カップリングノイズを抑制することができる電圧波形を出力することができる（図１参照）。
駆動電圧生成回路１は、液晶パネル３を駆動するための駆動電圧を、画像信号を基にドット反転駆動方法を用いて生成し、出力するための回路であり、周知の回路を使用して構成することができる。
カップリングノイズ抑制回路２は、本発明に特徴的な回路であり、駆動電圧生成回路１と液晶表示パネル３との中間に接続される。
駆動電圧生成回路１から出力された列１の駆動電圧Ｖ１及び共通電圧Ｖｃと、所定の電圧値を有する電圧Ｖｏｆｆとは、駆動電圧変換回路２１Ａに入力される。
【００３０】
駆動電圧変換回路２１Ａは、これらの電圧値を参照して、列１の駆動電圧Ｖ１が予め設定された点灯電圧であると判定した場合には、列１の駆動電圧Ｖ１をそのまま電圧Ｖ１’として出力し、列１の駆動電圧Ｖ１が予め設定された消灯電圧であると判定した場合には、列１の駆動電圧Ｖ１に所定の電圧値（±Ｖｏｆｆ）を加算した電圧を電圧Ｖ１’として出力する。
列１の駆動電圧Ｖ１に加算する所定の電圧値（Ｖｏｆｆ）の符号（極性）は、駆動電圧変換回路２１Ｂから送出される極性信号を参照して決定する。
また、駆動電圧変換回路２１Ａは、列１の駆動電圧Ｖ１が予め設定された点灯電圧であると判定した場合には、その符号（極性）を示す極性信号Ｓを駆動電圧変換回路２１Ｂに送出する。
【００３１】
この電圧Ｖ１’は、液晶表示パネル３の列１の画素を駆動することになっていた本来の駆動電圧Ｖ１に取って代わる新たな駆動電圧として、液晶表示パネル３に入力される。
他方、駆動電圧生成回路１から出力された列２の駆動電圧Ｖ２及び共通電圧Ｖｃと、所定の電圧値を有する電圧Ｖｏｆｆとは、駆動電圧変換回路２１Ｂに入力される。
駆動電圧変換回路２１Ｂは、これらの電圧値を参照して、列２の駆動電圧Ｖ２が予め設定された点灯電圧であると判定した場合には、列２の駆動電圧Ｖ２をそのまま電圧Ｖ２’として出力し、列２の駆動電圧Ｖ２が予め設定された消灯電圧であると判定した場合には、列２の駆動電圧Ｖ２に所定の電圧値（±Ｖｏｆｆ）を加算した電圧を電圧Ｖ２’として出力する。
【００３２】
列２の駆動電圧Ｖ２に加算する所定の電圧値（Ｖｏｆｆ）の符号（極性）は、駆動電圧変換回路２１Ａから送出される極性信号を参照して決定する。
また、駆動電圧変換回路２１Ｂは、列２の駆動電圧Ｖ２が予め設定された点灯電圧であると判定した場合には、その符号（極性）を示す極性信号Ｓを駆動電圧変換回路２１Ａに送出する。
この電圧Ｖ２’は、液晶表示パネル３の列２の画素を駆動することになっていた本来の駆動電圧Ｖ２に取って代わる新たな駆動電圧として、液晶表示パネル３に入力される。
前述の所定の電圧値（±Ｖｏｆｆ）の具体的な値は、消灯画素を駆動する駆動電圧を構成する際に、その電圧値が、黒レベルの駆動電圧値以上かつ白レベルの駆動電圧値以下の範囲となるように設定する。
【００３３】
さらに、その具体的な電圧値は、上記の範囲で、液晶パネルの表示品位と、タッチパネルとしての誤動作及び誤操作の程度とを調整して設定するものとする。
なお、この調整は、所定の電圧値（±Ｖｏｆｆ）を発生する回路（図示は省略するが、駆動電圧生成回路１に含めることもできる）に付属する操作部を操作して行うことができる。
また、この調整は、遠隔操作で行えるように構成することが可能であり、さらに、エンドユーザによっても行えるように構成することができる。
列１を駆動する駆動電圧Ｖ１’、列２を駆動する駆動電圧Ｖ２’、及び共通電圧Ｖｃは、それぞれ液晶駆動パネル３に出力され、液晶駆動パネル３の列１の画素と列２の画素とを、それぞれ交流駆動するために使用される。
【００３４】
図２に示す液晶駆動回路は、列に並ぶ画素に関して、液晶駆動パネル３に出現する最悪画素パターン（隣接する２列の内、１列が消灯であり、他の列が点灯というパターン）に対応可能であるばかりではなく、液晶駆動パネル３に出現する任意の画素パターンに対して適切に対応することができる。
なお、本発明に係る液晶表示装置は、図２に示す液晶駆動回路を採用することができる。
また、この液晶表示装置は、携帯電話やスマートフォンに限らず、他の装置（例えば、ゲーム機、タブレットＰＣ、ノートＰＣ）にも適用可能である。
【００３５】
本実施形態に係る液晶駆動方法及び液晶駆動回路によれば、非点灯表示画素に対しても、点灯表示画素の駆動電圧の影響を部分的に相殺できるような駆動電圧を工夫し、該工夫した駆動電圧でもって交流駆動を行うことにより、液晶のカップリングノイズを減少させることができるので、特に、タッチパネルとして構成する場合は、その誤動作及び誤操作を軽減させることができる効果が有る。
また、非点灯表示時の出力電圧を、通常の共通電圧に所定の電圧±Ｖｏｆｆを印加できる構成に変更するだけなので回路の変更量が少なくて済む効果が有る。
【００３６】
〔第２の実施形態〕
この実施形態は、最悪画素パターン（隣接する２列の内、１列が消灯であり、他の列が点灯というパターン）に対して対応可能にするばかりではなく、白レベルから黒レベルに至る任意の発光レベルの画素を有する任意の画素パターンに対してカップリングノイズを抑制することができる液晶駆動回路を提供するものである。
このため、任意の画素パターンに対して、カップリングノイズを減少させ得るような駆動電圧波形を生成して非点灯画素に印加する液晶駆動方法を採用している。
より具体的には、点灯画素列と非点灯画素列とが隣接する場合に、該非点灯画素の駆動電圧の基準となる共通電圧に対して、前記点灯画素の駆動電圧の部分的な反転成分となる所定の電圧（±Ｖｏｆｆ）を加算することで、前記点灯画素の駆動電圧から生じるカップリングノイズを相殺させる液晶駆動方法である。
【００３７】
図３は、本発明の第２の実施形態に係る液晶駆動回路の１例としての回路構成を示す回路図である。
同図に示す液晶駆動回路は、駆動電圧生成回路１と、駆動電圧生成回路１の後段に接続されたカップリングノイズ抑制回路４と、を備え、液晶表示パネル３を駆動する。
カップリングノイズ抑制回路２は、差動増幅器Ａ１と、差動増幅器Ａ２と、レベル調整器Ｇと、を備えて構成される。
以下では、分かり易くするために、列１と、列１に隣接する列２とに限定して説明するが、同様に隣接する他の２列や２行についても、これと同様の説明が適用されるものとする。
【００３８】
図３に示す液晶駆動回路は、図７に示すような最悪画素パターン（隣接する２列の内１列が消灯であり、他の列が点灯というパターン）に対して対応可能な共通電圧波形を出力するばかりではなく、白レベルから黒レベルに至る任意の発光レベルの画素を有する任意の画素パターンに対してカップリングノイズを抑制することができる適切な共通電圧波形を出力することができる。
駆動電圧生成回路１は、液晶パネル３を駆動するための駆動電圧を、画像信号を基にドット反転駆動方法を用いて生成し、出力するための回路であり、周知の回路を使用して構成することができる。
カップリングノイズ抑制回路４は、本発明に特徴的な回路であり、駆動電圧生成回路１と液晶表示パネル３との中間に接続される。
カップリングノイズ抑制回路４の差動増幅器Ａ１は、列１の駆動電圧Ｖ１と、列２の駆動電圧Ｖ２とを、符号付きで加算する。
カップリングノイズ抑制回路４の、差動増幅器Ａ２は、差動増幅器Ａ１の出力電圧と共通電圧Ｖｃとを、符号付きで加算する。
レベル調整器Ｇは、差動増幅器Ａ２の出力電圧を調整して新共通電圧Ｖｎｃとして出力する。
【００３９】
即ち、新共通電圧Ｖｎｃは、共通電圧Ｖｃに対して、常に所定の電圧値Ｖｏｆｆ（＝列１の駆動電圧Ｖ１＋列２の駆動電圧Ｖ２）を加えた値を、さらにレベル調整器Ｇでレベル調整した値となる。
新共通電圧Ｖｎｃの値は、消灯画素を駆動する駆動電圧との間で、黒レベルの駆動電圧以上かつ白レベルの駆動電圧以下の範囲で設定しなければならず、かつ点灯画素を駆動する駆動電圧との間では、白レベルの駆動電圧以下かつ黒レベルの駆動電圧以上の範囲となるように設定しなければならない。
さらに、上記の範囲で、その具体的な電圧値は、液晶パネルの表示品位と、タッチパネルとしての誤動作及び誤操作の程度とを調整して設定するものとする。
この調整は、レベル調整器Ｇに付属する操作部（図示は省略）で操作して設定することができる。
【００４０】
列１の駆動電圧Ｖ１と、列２の駆動電圧Ｖ２と、新共通電圧Ｖｎｃは、それぞれ液晶駆動パネル３に出力され、液晶駆動パネル３の列１の画素と列２の画素とを、それぞれ交流駆動するために使用される。
具体的には、列１の画素は（駆動電圧Ｖ１−新共通電圧Ｖｎｃ）の電圧値で交流駆動され、列２の画素は（駆動電圧Ｖ２−新共通電圧Ｖｎｃ）の電圧値で交流駆動される。
図３に示す液晶駆動回路は、列に並ぶ画素に関して、液晶駆動パネル３に出現する最悪画素パターン（隣接する２列の内、１列が消灯であり、他の列が点灯というパターン）に対応可能であるばかりではなく、液晶駆動パネル３に出現する任意の画素パターンに対して適切に対応することができる。
なお、本発明に係る液晶表示装置は、図３に示す液晶駆動回路を採用することができる。
また、この液晶表示装置は、携帯電話やスマートフォンに限らず、他の装置（例えば、ゲーム機、タブレットＰＣ、ノートＰＣ）にも適用可能である。
【００４１】
図４は、本発明の第２の実施形態に係る液晶駆動回路の他の１例としての回路構成を示す回路図である。
同図に示す液晶駆動回路は、駆動電圧生成回路１と、駆動電圧生成回路１の後段に接続されたカップリングノイズ抑制回路５と、を備え、液晶表示パネル３を駆動する。
カップリングノイズ抑制回路５は、４個の抵抗Ｒ（抵抗素子）と、増幅器Ａ３と、を備えて構成される。
以下では、分かり易くするために、列１と、列１に隣接する列２とに限定して説明するが、同様に隣接する他の２列や２行についても、これと同様の説明が適用されるものとする。
【００４２】
図４に示す液晶駆動回路は、図１に示すような、最悪画素パターン（隣接する２列の内、１列が消灯であり、他の列が点灯というパターン）に対して対応可能な共通電圧波形を出力するばかりではなく、白レベルから黒レベルに至る任意の発光レベルの画素を有する任意の画素パターンに対してカップリングノイズを抑制することができる適切な共通電圧波形を出力することができる。
駆動電圧生成回路１は、液晶パネル３を駆動するための駆動電圧を、画像信号を基にドット反転駆動方法を用いて生成し、出力するための回路であり、周知の回路を使用して構成することができる。
カップリングノイズ抑制回路５は、本発明に特徴的な回路であり、駆動電圧生成回路１と液晶表示パネル３との中間に接続される。
【００４３】
駆動電圧生成回路１から出力された列１の駆動電圧Ｖ１と、列２の駆動電圧Ｖ２と、共通電圧Ｖｃとは、それぞれ抵抗Ｒを介して並列で増幅器Ａ３に入力される。
増幅器Ａ３は、周知の回路素子であり、その出力端子から入力端子への、抵抗Ｒを介したフィードバック結合を有する。
カップリングノイズ抑制回路５の増幅器Ａ３は、列１の駆動電圧Ｖ１と、列２の駆動電圧Ｖ２と、共通電圧Ｖｃとを、符号付きで加算する。
増幅器Ａ３の出力電圧（即ち、新共通電圧Ｖｎｃ）は、使用する素子の精度次第では、必ずしも正確には上記３者の和にはならないが、理論的には上記３者の和を与えることが周知である。
即ち、新共通電圧Ｖｎｃは、共通電圧Ｖｃに対して、常に所定の電圧値Ｖｏｆｆと、列１の駆動電圧Ｖ１と、列２の駆動電圧Ｖ２とを加えた値となる。
【００４４】
ここでは、増幅器Ａ３の出力をそのまま新共通電圧Ｖｎｃとしているが、増幅器Ａ３の後段に、レベル調整器を設置し、このレベル調整器の出力を調整した上で、新共通電圧Ｖｎｃとして出力することも可能である。
新共通電圧Ｖｎｃの値は、消灯画素を駆動する駆動電圧との間で、黒レベルの駆動電圧以上かつ白レベルの駆動電圧以下の範囲で設定しなければならず、かつ点灯画素を駆動する駆動電圧との間では、白レベルの駆動電圧以下かつ黒レベルの駆動電圧以上の範囲となるように設定しなければならない。
さらに、上記の範囲で、その具体的な電圧値は、液晶パネルの表示品位と、タッチパネルとしての誤動作及び誤操作の程度とを調整して設定するものとする。
【００４５】
この調整は、増幅器Ａ３のゲインＡｇの調整や、抵抗Ｒの抵抗値の調整によって行うものとするが、レベル調整器を付加した場合は、このレベル調整器に付属する操作部（図示は省略）で操作して設定することができる。
列１の駆動電圧Ｖ１と、列２の駆動電圧Ｖ２と、新共通電圧Ｖｎｃは、それぞれ液晶駆動パネル３に出力され、液晶駆動パネル３の列１の画素と列２の画素とを、それぞれ交流駆動するために使用される。
具体的には、列１の画素は（駆動電圧Ｖ１−新共通電圧Ｖｎｃ）の電圧値で交流駆動され、列２の画素は（駆動電圧Ｖ２−新共通電圧Ｖｎｃ）の電圧値で交流駆動される。
【００４６】
図４に示す液晶駆動回路は、列に並ぶ画素に関して、液晶駆動パネル３に出現する最悪画素パターン（隣接する２列の内、１列が消灯であり、他の列が点灯というパターン）に対応可能であるばかりではなく、液晶駆動パネル３に出現する任意の画素パターンに対して適切に対応することができる。
なお、本発明に係る液晶表示装置は、図４に示す液晶駆動回路を採用することができる。
また、この液晶表示装置は、携帯電話やスマートフォンに限らず、他の装置（例えば、ゲーム機、タブレットＰＣ、ノートＰＣ）にも適用可能である。
【００４７】
本実施形態に係る液晶駆動方法及び液晶駆動回路によれば、非点灯表示画素に対しても、点灯表示画素の駆動電圧の影響を部分的に相殺できるような駆動電圧を工夫し、該工夫した駆動電圧でもって交流駆動を行うことにより、液晶のカップリングノイズを減少させることができるので、特に、タッチパネルとして構成する場合は、その誤動作及び誤操作を軽減させることができる効果が有る。
また、簡単な回路構成で、最悪画素パターンに対して対応可能にするばかりではなく、白レベルから黒レベルに至る任意の発光レベルの画素を有する任意の画素パターンに対してカップリングノイズを抑制することができる効果が有る。
【００４８】
〔その他の実施の形態〕
前述の第１の実施形態では、図２に示す液晶駆動回路について説明したが、一般に、本発明に係る液晶駆動回路は、消灯画素の駆動電圧に対して、点灯画素の駆動電圧の極性によって定まる所定の電圧値（＋Ｖｏｆｆまたは−Ｖｏｆｆ）を加算できる構成でありさえすれば良く、よって、図２に示す回路に限定されるものではない。
【００４９】
また、前述の第２の実施形態では、図３に示す液晶駆動回路において、新共通電圧Ｖｎｃは、共通電圧Ｖｃに対して、常に所定の電圧値Ｖｏｆｆ（＝列１の駆動電圧Ｖ１＋列２の駆動電圧Ｖ２）を加えた値とし、図４に示す液晶駆動回路においては、新共通電圧Ｖｎｃは、共通電圧Ｖｃに対して、常に所定の電圧値Ｖｏｆｆ（┤列１の駆動電圧Ｖ１＋列２の駆動電圧Ｖ２）を加えた値としたが、新共通電圧Ｖｎｃは、カップリングノイズを抑制できるものでありさえすれば良く、よって、新共通電圧Ｖｎｃの生成方法には、もっと簡単な他の方法を適用しても良い。
【００５０】
また、前述の液晶駆動回路においては、図３に示すレベル調整器Ｇのゲイン調整を、レベル調整器Ｇに付属する操作部を操作して行うものとしたが、他の実施形態として、この調整を遠隔からの制御にすることができる。また、エンドユーザによっても調整することができる。
【００５１】
さらに、前述の液晶駆動回路においては、図４に示す４個の抵抗Ｒは、それぞれ同一の抵抗値を持つものとしているが、この４個の抵抗素子の抵抗値は、それぞれ他と異なるものであっても良いし、他と同一であっても良い。また、この４個の抵抗素子の内、その幾つかをインピーダンス素子としても良い。
【符号の説明】
【００５２】
１  駆動電圧生成回路
２，４，５  カップリングノイズ抑制回路
３  液晶表示パネル
２１Ａ，２１Ｂ  駆動電圧変換回路
Ａ１，Ａ２  差動増幅器
Ｇ  レベル調整器
Ａ３  増幅器
Ｒ  抵抗素子
Ｓ  極性信号
Ｖ１  列１の駆動電圧
Ｖ２  列２の駆動電圧
Ｖｃ  共通電圧
Ｖｏｆｆ  所定の加算電圧
Ｖｎｃ  新共通電圧
【図１】
2012242428.tif 000003
【図２】
2012242428.tif 000004
【図３】
2012242428.tif 000005
【図４】
2012242428.tif 000006
【図５】
2012242428.tif 000007
【図６】
2012242428.tif 000008
【図７】
2012242428.tif 000009
【図８】
2012242428.tif 000010